【手続補正書】
【提出日】平成18年4月11日(2006.4.11)
【手続補正１】
【補正対象書類名】明細書
【補正対象項目名】発明の名称
【補正方法】変更
【補正の内容】
【発明の名称】画像処理装置を有するシステムのデータ処理方法、画像処理装置を有するシステム、記憶媒体、画像処理装置、データ消去方法、及びプログラム
【手続補正２】
【補正対象書類名】明細書
【補正対象項目名】特許請求の範囲
【補正方法】変更
【補正の内容】
【特許請求の範囲】
【請求項１】  印刷可能なジョブを複数記憶可能な記憶手段に記憶されたジョブを処理可能な画像処理装置を有するシステムのデータ処理方法であって、
前記記憶手段のジョブの消去処理を実行可能な複数種類の消去モードの中から何れかの消去モードを前記記憶手段により記憶対象の各ジョブ毎に選択的に設定可能にする設定ステップと、
前記記憶手段に記憶されたジョブの消去処理を、前記複数種類の消去モードのうちの、そのジョブのために設定された消去モードにより、実行可能にする制御ステップと、
を有することを特徴とするデータ処理方法。
【請求項２】  請求項１記載のデータ処理方法であって、
前記複数種類の消去モードは、前記記憶手段のジョブを前記記憶手段から読み出すための管理情報の消去処理を行うことでジョブの消去処理を行う第１消去モード、及び、前記記憶手段のジョブの先頭ブロック部分のデータを任意データで上書きすることでジョブの消去処理を行う第２消去モード、及び、前記記憶手段のジョブの前記先頭ブロック部分及び任意ブロック部分の各データを任意データで上書きすることでジョブの消去処理を行う第３消去モード、及び、前記記憶手段のジョブの全データを所定データで全て上書きすることでジョブの消去処理を行う第４消去モード、及び、前記記憶手段のジョブの全データを任意データで全て上書きすることでジョブの消去処理を行う第５消去モード、を含む複数種類の消去モードのうちの少なくとも２種類以上の消去モードであり、
前記設定ステップは、前記記憶手段に記憶された複数のジョブの各ジョブ毎に、それぞれ、前記複数種類の消去モードのうちの何れかを選択的に設定可能にすることを特徴とするデータ処理方法。
【請求項３】  請求項１又は２の何れかに記載のデータ処理方法であって、
前記複数種類の消去モードは、前記記憶手段のジョブを前記記憶手段から読み出すための管理情報の消去処理を行うことでジョブの消去処理を行う第１消去モード、及び、前記記憶手段のジョブの先頭ブロック部分のデータを任意データで上書きすることでジョブの消去処理を行う第２消去モード、及び、前記記憶手段のジョブの前記先頭ブロック部分及び任意ブロック部分の各データを任意データで上書きすることでジョブの消去処理を行う第３消去モード、及び、前記記憶手段のジョブの全データを所定データで全て上書きすることでジョブの消去処理を行う第４消去モード、及び、前記記憶手段のジョブの全データを任意データで全て上書きすることでジョブの消去処理を行う第５消去モード、を含む複数種類の消去モードのうちの少なくとも２種類以上の消去モードであり、
前記制御ステップは、
前記設定ステップにより前記第１消去モードが設定されたジョブの消去処理を行う場合、そのジョブを前記記憶手段から読み出すための管理情報を消去することで該ジョブの消去処理を実行させ、
前記設定ステップにより前記第２消去モードが設定されたジョブの消去処理を行う場合、前記記憶手段におけるそのジョブの先頭ブロック部分のデータを任意データで上書きすることで該ジョブの消去処理を実行させ、
前記設定ステップにより前記第３消去モードが設定されたジョブの消去処理を行う場合、前記記憶手段におけるそのジョブの先頭ブロック部分及び任意ブロック部分の各データを任意データで上書きすることで該ジョブの消去処理を実行させ、
前記設定ステップにより前記第４消去モードが設定されたジョブの消去処理を行う場合、前記記憶手段におけるそのジョブの全データを所定データで全て上書きすることで該ジョブの消去処理を実行させ、
前記設定ステップにより前記第５消去モードが設定されたジョブの消去処理を行う場合、前記記憶手段におけるジョブの全データを任意データで全て上書きすることで該ジョブの消去処理を実行させることを特徴とするデータ処理方法。
【請求項４】  請求項１乃至３の何れかに記載のデータ処理方法であって、
前記ジョブの消去処理とは、前記記憶手段に記憶されているジョブの読み出しを禁止するための処理であることを特徴とするデータ処理方法。
【請求項５】  請求項１乃至４の何れかに記載のデータ処理方法であって、
前記ジョブの消去処理とは、前記記憶手段に記憶されたジョブを前記記憶手段から読み出せる第１状態から前記記憶手段に記憶された前記ジョブを前記記憶手段から読み出すことができない第２状態に遷移させるための処理であることを特徴とするデータ処理方法。
【請求項６】  請求項１乃至５の何れかに記載のデータ処理方法であって、
前記設定ステップは、前記複数種類の消去モードの各々に対応する複数の機密レベルのうちの何れかの機密レベルを各ジョブ毎に設定することで各ジョブ毎に消去モードを設定可能にする設定処理、及び、前記複数種類の消去モードの各々に対応する複数の消去方法のうちの何れかの消去方法を各ジョブ毎に設定することで各ジョブ毎に消去モードを設定可能にする設定処理、のうちの少なくとも何れかを実行可能とすることを特徴とするデータ処理方法。
【請求項７】  請求項１乃至６の何れかに記載のデータ処理方法であって、
前記設定ステップは、ジョブに対する消去モードをユーザ設定に基づき設定する手動設定処理、或いは、ジョブに対する消去モードを前記ジョブの属性情報に基づき自動的に設定する自動設定処理、のうちの少なくとも何れかを実行可能とすることを特徴とするデータ処理方法。
【請求項８】  請求項７記載のデータ処理方法であって、
前記ジョブに対する消去モードをユーザ設定に基づき設定する場合において、前記複数種類の消去モードの中から何れかの消去モードをユーザにより設定可能にするための操作画面を表示させることを特徴とするデータ処理方法。
【請求項９】  請求項１乃至８の何れかに記載のデータ処理方法であって、
前記設定ステップは、前記ジョブに対する消去モードの設定を、前記ジョブを前記記憶手段に記憶する前に前記ジョブに対応付けて実行可能にする設定処理、及び、前記ジョブを前記記憶手段に記憶した後に前記ジョブに対応付けて実行可能にする設定処理、のうちの少なくとも何れかを実行可能とすることを特徴とするデータ処理方法。
【請求項１０】  請求項１乃至９の何れかに記載のデータ処理方法であって、
ジョブの消去処理に先立ち、そのジョブに対して設定されている消去モードをユーザに確認させるためのガイダンス表示を実行可能にすることを特徴とするデータ処理方法。
【請求項１１】  請求項１乃至１０の何れかに記載のデータ処理方法であって、
ジョブの消去処理に先立ち、そのジョブに対する消去処理をユーザによりキャンセル可能にするための設定、及び、そのジョブに対する消去モードをユーザにより設定変更可能にするための設定、のうちの少なくとも何れかを実行可能にすることを特徴とするデータ処理方法。
【請求項１２】  請求項１乃至１１の何れかに記載のデータ処理方法であって、
ジョブの消去処理に先立ち、そのジョブに対して設定されている消去モードをユーザに確認させるためのガイダンス表示部、及び、そのジョブに対する消去モードをユーザにより設定変更可能にするための操作表示部、を具備する設定画面を表示させることを特徴とするデータ処理方法。
【請求項１３】  請求項１乃至１２の何れかに記載のデータ処理方法であって、
前記画像処理装置は、コピーモードのジョブ、及び、送信モードのジョブ、及び、ボックスモードのジョブ、プリントモードのジョブ、を含む複数種類のジョブのうちの少なくとも何れかの種類のジョブを処理可能であり、
前記設定ステップは、前記複数種類のジョブの各種類のジョブ毎にそれぞれ区別して消去モードを設定可能にすることを特徴とするデータ処理方法。
【請求項１４】  請求項１乃至１３の何れかに記載のデータ処理方法であって、
前記制御ステップは、前記画像処理装置が具備する記憶手段に記憶されたジョブの消去処理、及び、前記画像処理装置と通信可能な外部装置が具備する記憶手段に記憶されたジョブの消去処理、の少なくとも何れかを実行可能とすることを特徴するデータ処理方法。
【請求項１５】  請求項１乃至１４の何れかに記載のデータ処理方法であって、
前記設定ステップは、各ジョブ毎に複数種類の消去モードのうちの何れかの消去モードを選択的に設定可能にすると共に、各ジョブ毎に消去処理をしないための設定を可能にすることを特徴とするデータ処理方法。
【請求項１６】  請求項１乃至１５の何れかに記載のデータ処理方法であって、
前記画像処理装置は、少なくとも、前記記憶手段内に仮想的に割当てられた複数のボックス領域の各ボックス領域毎にジョブの記憶及びプリント処理が可能なボックスモードのジョブを処理可能であって、
前記設定ステップは、前記複数のボックス領域の各ボックス領域毎に前記複数種類の消去モードのうちの何れかの消去モードを選択的に設定可能にすることを特徴とするデータ処理方法。
【請求項１７】  請求項１乃至１６の何れかに記載のデータ処理方法であって、
前記画像処理装置は、外部装置からのジョブを処理するプリンタモードを有し、
前記設定ステップは、前記外部装置の操作画面を介して前記プリンタモードのジョブに対する消去モードを設定可能にし、
前記制御ステップは、前記プリンタモードのジョブを前記外部装置にて設定された消去モードに従って消去処理を実行させることを特徴とするデータ処理方法。
【請求項１８】  請求項１乃至１７の何れかに記載のデータ処理方法であって、
前記画像処理装置は、外部装置からのジョブを処理するプリンタモードを有し、
前記設定ステップは、前記外部装置のプリンタドライバを介して設定された前記プリンタモードのジョブの出力条件に基づいた消去モードを前記プリンタモードのジョブに対して設定可能にし、
前記制御ステップは、前記プリンタモードのジョブを前記出力条件に従った消去モードで消去処理を実行させることを特徴とするデータ処理方法。
【請求項１９】  印刷可能なジョブを複数記憶可能な記憶手段に記憶されたジョブを処理可能な画像処理装置を有するシステムであって、
前記記憶手段のジョブの消去処理を実行可能な複数種類のデータ消去モードを有し、
前記記憶手段により記憶対象の各ジョブ毎に前記複数種類のデータ消去モードのうちの何れかの消去モードを選択的に設定可能にする設定手段と、
前記記憶手段に記憶されたジョブの消去処理を、前記複数種類の消去モードのうちの、そのジョブのために設定された消去モードにより、実行可能にする制御手段と、
を有することを特徴とするシステム。
【請求項２０】  請求項１乃至１８の何れかに記載のデータ処理方法を実行させるためのプログラムを記憶したコンピュータ読取可能な記憶媒体。
【請求項２１】  画像処理に関わるデータを記憶する記憶手段と、前記記憶手段に記憶されたデータが消去を指示された機密データか否かを判定する判定手段と、前記判定手段により前記記憶手段に記憶されたデータが機密データであると判定された場合、前記記憶手段に記憶されたデータを消去する消去手段とを備えることを特徴とする画像処理装置。
【請求項２２】  前記判定手段は、前記画像処理装置と通信可能な外部装置から送信される機密モードの情報に基づいて前記判定を行うことを特徴とする請求項２１記載の画像処理装置。
【請求項２３】  前記判定手段は、前記画像処理装置と通信可能な外部装置から送信されるコマンドに基づいて前記判定を行うことを特徴とする請求項２１記載の画像処理装置。
【請求項２４】  前記判定手段は、前記画像処理装置と通信可能な外部装置から送信されるプリントデータに含まれる情報に基づいて前記判定を行うことを特徴とする請求項２１記載の画像処理装置。
【請求項２５】  前記プリントデータに含まれる情報は、前記記憶手段に記憶されたデータを消去するべきか否かを示すフラグであることを特徴とする請求項２４記載の画像処理装置。
【請求項２６】  前記記憶手段に記憶されたデータの消去レベルに対応させて設けられた複数の機密モードのうちの一つを選択的に設定する設定手段をさらに備え、前記判定手段は、前記設定手段により設定された機密モードに基づいて、前記判定を行うことを特徴とする請求項２１記載の画像処理装置。
【請求項２７】  前記判定手段は、前記複数の機密モードの中から、前記記憶手段に記憶されたデータの機密レベルに応じて前記複数の機密モードのうちの一つを選択する選択手段を備えることを特徴とする請求項２６記載の画像処理装置。
【請求項２８】  前記記憶手段は、不揮発性の記憶手段であることを特徴とする請求項２１記載の画像処理装置。
【請求項２９】  前記複数の機密モードは、前記記憶手段に記憶されたデータの実体を示すテーブルを消去する機密モード、前記記憶手段に記憶されたデータのデータブロックの先頭のデータブロックから任意のサイズで任意のデータを重ね書きする機密モード、前記記憶手段に記憶されたデータの前記データブロックの前記先頭のデータブロックを含む部分に任意のデータを重ね書きする機密モード、前記記憶手段に記憶されたデータの前記データブロックの全体を消去する機密モード、前記記憶手段に記憶されたデータの前記データブロックの全体に任意のデータを重ね書きする機密モードを含むことを特徴とする請求項２６記載の画像処理装置。
【請求項３０】  前記消去手段は、前記記憶手段の機能を無効にする記憶機能無効化手段を備えることを特徴とする請求項２１記載の画像処理装置。
【請求項３１】  前記記憶手段に記憶された特定のデータ或いは全部のデータに対し、複数の機密モードのうち任意の機密モードによる消去を指示する指示手段をさらに備えることを特徴とする請求項２１記載の画像処理装置。
【請求項３２】  プリンタ、複写機、複合機、及びファクシミリから成る群から選択されることを特徴とする請求項２１記載の画像処理装置。
【請求項３３】  前記画像処理に関わるデータには、外部装置から送信されたデータ並びに前記画像処理装置により生成される、中間処理データ及び記録媒体に画像を形成するためのデータが含まれることを特徴とする請求項２１記載の画像処理装置。
【請求項３４】  原稿から画像を読み取る画像読取手段と、記録媒体に画像を形成する画像形成手段と、画像処理に関わるデータを記憶する記憶手段と、前記記憶手段に記憶されたデータの消去レベルを示す複数の消去設定のうち１つを選択する選択手段と、該選択された消去設定を判定する判定手段と、前記判定手段により判定された前記選択された消去設定に応じて前記記憶手段に記憶されたデータを消去する消去手段とを備えることを特徴とする画像処理装置。
【請求項３５】  前記記憶手段は、不揮発性の記憶手段であることを特徴とする請求項３４記載の画像処理装置。
【請求項３６】  前記複数の消去設定は、前記記憶手段に記憶されたデータの実体を示すテーブルを消去する消去設定、前記記憶手段に記憶されたデータのデータブロックの先頭のデータブロックに任意のデータを重ね書きする消去設定、前記記憶手段に記憶されたデータの前記データブロックの前記先頭のデータブロックを含む部分に任意のデータを重ね書きする消去設定、前記記憶手段に記憶されたデータの前記データブロックの全体に消去用データを重ね書きする消去設定、前記記憶手段に記憶されたデータの前記データブロックの全体に任意のデータを重ね書きする消去設定を含むことを特徴とする請求項３４記載の画像処理装置。
【請求項３７】  前記選択手段は、前記複数の消去設定のうち１つを手動により選択することを特徴とする請求項３４記載の画像処理装置。
【請求項３８】  前記複数の消去設定は、前記画像処理装置で処理する各ジョブにそれぞれ対応付けて設けられていることを特徴とする請求項３４記載の画像処理装置。
【請求項３９】  前記画像処理装置で処理する各ジョブは、原稿から読み取った画像を記録媒体に形成するコピージョブ、外部装置にデータを送信する送信ジョブ、及び原稿から読み取った画像のデータを前記記憶手段に記憶するボックスジョブから成ることを特徴とする請求項３８記載の画像処理装置。
【請求項４０】  前記複数の消去設定は、前記画像処理装置が動作する各モードにそれぞれ対応付けて設定されることを特徴とする請求項３４記載の画像処理装置。
【請求項４１】  前記画像処理装置で実行する各モードは、原稿から読み取った画像を記録媒体に形成するコピーモード、外部装置にデータを送信する送信モード、外部装置からデータを受信する受信モード、及び原稿から読み取った画像のデータを前記記憶手段に記憶するボックスモードから成ることを特徴とする請求項４０記載の画像処理装置。
【請求項４２】  前記画像処理に関わるデータには、前記コピージョブ、前記送信ジョブ、前記ボックスジョブのいずれかに関わるデータが含まれることを特徴とする請求項３４記載の画像処理装置。
【請求項４３】  画像処理に関わるデータを記憶する記憶手段を備えた画像処理装置により実行されるデータ消去方法において、
前記記憶手段に記憶されたデータが消去を指示された機密データか否かを判定する判定ステップと、前記判定ステップにより前記記憶手段に記憶されたデータが機密データであると判定された場合、前記記憶手段に記憶されたデータを消去する消去ステップとを備えることを特徴とするデータ消去方法。
【請求項４４】  原稿から画像を読み取る画像読取手段と、記録媒体に画像を形成する画像形成手段と、画像処理に関わるデータを記憶する記憶手段とを備えた画像処理装置により実行されるデータ消去方法において、
前記記憶手段に記憶されたデータの消去レベルを示す複数の消去設定のうち１つを選択する選択ステップと、該選択された消去設定を判定する判定ステップと、前記判定ステップにより判定された前記選択された消去設定に応じて前記記憶手段に記憶されたデータを消去する消去ステップとを備えることを特徴とするデータ消去方法。
【請求項４５】  請求項１乃至１８の何れかに記載のデータ処理方法をコンピュータに実行させるためのプログラム。
【請求項４６】  請求項４３又は４４記載のデータ消去方法をコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、例えばプリンタなどの画像処理装置において、特に不揮発性の記憶媒体に記憶されたデータをプリンタエンジンに出力して用紙に画像を形成するプリント処理の終了後に、不揮発性の記憶媒体のデータを消去することにより、データの機密性の保持を図る場合に好適な、画像処理装置を有するシステムのデータ処理方法、画像処理装置を有するシステム、記憶媒体、画像処理装置、データ消去方法、及びプログラムに関する。
【手続補正４】
【補正対象書類名】明細書
【補正対象項目名】０００６
【補正方法】変更
【補正の内容】
【０００６】
本発明の目的は、上述の第１の問題を解消し、データの機密性を高く保持することを可能とし、簡便かつ安全性を高くすることにある。
【手続補正５】
【補正対象書類名】明細書
【補正対象項目名】０００７
【補正方法】変更
【補正の内容】
【０００７】
また、本発明の目的は、上述の第２の問題を解消し、ユーザからの様々なデータ消去に関する要望に対応したデータ消去を提供し、データ消去の高速性とデータ消去の機密性との両立を図ることにある。
【手続補正６】
【補正対象書類名】明細書
【補正対象項目名】０００８
【補正方法】変更
【補正の内容】
【０００８】
【課題を解決するための手段】
上述の目的を達成するため、本発明のデータ処理方法は、印刷可能なジョブを複数記憶可能な記憶手段に記憶されたジョブを処理可能な画像処理装置を有するシステムのデータ処理方法であって、前記記憶手段のジョブの消去処理を実行可能な複数種類の消去モードの中から何れかの消去モードを前記記憶手段により記憶対象の各ジョブ毎に選択的に設定可能にする設定ステップと、前記記憶手段に記憶されたジョブの消去処理を、前記複数種類の消去モードのうちの、そのジョブのために設定された消去モードにより、実行可能にする制御ステップと、を有することを特徴とする。
【手続補正７】
【補正対象書類名】明細書
【補正対象項目名】００１０
【補正方法】変更
【補正の内容】
【００１０】
上述の目的を達成するため、本発明の記憶媒体は、請求項１乃至１８の何れかに記載のデータ処理方法を実行させるためのプログラムを記憶したコンピュータ読取可能な記憶媒体であることを特徴とする。
【手続補正８】
【補正対象書類名】明細書
【補正対象項目名】０１８８
【補正方法】変更
【補正の内容】
【０１８８】
【発明の効果】
以上詳細に説明したように、本発明によれば、従来技術のような問題を解消できる。そして、例えば、記憶媒体に複数のユーザのジョブデータが残存しているような場合において、データ消去を望んでいないユーザのデータをも勝手に消去してしまう等の問題も防止でき、使い勝手を向上させることができる。また、記憶媒体に複数のジョブが存在する場合において全てのジョブを消去するような制御が原因で、記憶媒体に複数のジョブがが残存している場合に、データ消去に時間がかかる等の問題を防止できる。また、ジョブのデータ消去に高速性を求めるユーザや、データ消去に安全性や確実性を求めるユーザ等、様々なユーザからのニーズに柔軟に対応でき、ユーザからの様々なデータ消去に関する要望に対応したデータ消去を提供することができ、データ消去の高速性とデータ消去の機密性・安全性との両立を、ユーザからのニーズに即して、図ることができる等の効果を奏することができる。
【手続補正９】
【補正対象書類名】明細書
【補正対象項目名】０１８９
【補正方法】変更
【補正の内容】
【０１８９】
また、本発明によれば、画像処理に関わるデータが格納された不揮発性の記憶手段のデータが、消去を指示された機密データであると判定された場合、記憶手段のデータを消去するので、画像処理装置の電源遮断後にデータが記憶手段に残存することがなくなり、その結果、データの機密性を高く保持することが可能となり、簡便かつ安全性が高い画像処理装置を提供できるという効果を奏することができる。また、画像処理に関わるデータが格納された不揮発性の記憶手段のデータの消去レベルを示す複数の消去設定のうち、判定された消去設定に応じて、記憶手段のデータを消去するので、上記同様に、簡便かつ安全性が高い画像処理装置を提供できるという効果を奏することができる。